(57)【要約】      （修正有）【課題】商品の小分けカートンにおいて、簡便な操作でカートン正面に安定的で且つ表示面積の大きな表示板を形成するディスプレイ兼用カートン。【解決手段】矩形状の底面板と該底面板各辺から垂直に立設されたそれぞれ矩形状の正面板２、背面板、左右側面板からなるカートンであって、少なくとも正面板の上辺延長上に順に表示板６、係止板を連設し、正面板の下辺から所定距離離れた位置に下辺に平行な表示部下端横折線Ｌ７を設け、表示部下端横折線の略中央部に所定幅を有する係止溝１７を刻設すると共に、表示部下端横折線の両端から正面板の上辺に向かって略平行な切目線１６を正面板の上端縁まで刻設して表示部下端横折線の上方に表示部重合板８を形成することを特徴とするディスプレイ兼用カートンＰ’。【選択図】図４
2011230778.tif 000002
【特許請求の範囲】
【請求項１】
シート状部材で形成される、矩形状の底面板と該底面板各辺から垂直に立設されたそれぞれ矩形状の正面板、背面板、左右側面板からなるディスプレイ兼用カートンであって、少なくとも前記正面板の上辺延長上に順に表示板、係止板を連設し、前記正面板の下辺から所定距離離れた位置に前記下辺に平行な表示部下端横折線を設け、該表示部下端横折線に係止溝を刻設すると共に、前記表示部下端横折線の両端から前記正面板の上辺に向かって略平行な切目線を前記正面板の上端縁まで刻設して前記表示部下端横折線の上方に表示部重合板を形成することを特徴とするディスプレイ兼用カートン。
【請求項２】
前記左右側面板のいずれか一方の側面板の上辺を破断予定線とし延長上に順に天面板、差込板を連設すると共に、前記背面板の上辺を破断予定線とし延長上に天面支持板を連設したことを特徴とする請求項１記載のディスプレイ兼用カートン。
【請求項３】
前記表示板が、該表示板の前記正面板上辺から前記係止板に亘る長さを、前記表示部重合板の前記表示部下端横折線から前記正面板上辺に亘る長さより大きい長さとして形成されることを特徴とする請求項１または２のいずれかに記載のディスプレイ兼用カートン。
【発明の詳細な説明】
【技術分野】
【０００１】
本発明は、商品を収納し、封入時点では商品を保管・搬送するために用いられ、店頭における販売時点では商品を展示するために用いられるディスプレイ兼用カートンに関するものである。
【背景技術】
【０００２】
通常、個装された商品はダースや１０個単位に小分けされてカートンに収納、輸送され、市場での販売に供される。しかしながら、スーパーやコンビニエンスストア等の店頭では、同種の商品群が同じスペースに並べられ販売されるため、競合する商品群の中で自社商品をアピールし、消費者の購買意欲をそそるかが、商品を小分けして収納するカートンに求められている。
【０００３】
上記のように、スーパーやコンビニエンスストア等の商品陳列棚において、それぞれの商品には棚割により限られた展示スペースしか与えられておらず、且つ販売者には陳列のために割ける時間が限定されているため、商品を小分けして収納するカートンには、開封作業性に加え、いかに他社製品より目立つように展示できる構造かが併せて求められているものである。
【０００４】
従来、上記のような展示機能を備えた小分けカートンのディスプレイ形式としては、カートンの背面部から延設される閉蓋パネルを二つ折りに折り畳み、収納カートンの背面上部方向にディスプレイパネルとして突出形成しアピール力を持たせることができる構造のものが一般的である。しかしながら、現在のスーパーやコンビニエンスストでは棚の上部空間は限定されていることに加え、小分け収納カートンの背面上部は見えにくく、展示効果が高いとは言えない。
【０００５】
そこで、小分け収納カートンの周囲を構成する胴部構成板のうち、収納商品の正面が当接する前板に２本の横方向の折目線と、両側縁に沿う切目線とを設け、切目線を切断し、前板を折目線で折り重ねて表示板を形成し、カートン胴部前方に突出させて、販売促進効果を期待する包装展示兼用箱などが提案されている（たとえば、特許文献１）。しかしながら、上記特許文献に示された包装展示兼用箱において形成された表示板は、前板を区画し折り重ねて形成されるものであるため、表示スペースが狭く、告知事項を十分に記載できないという欠点があった。また、実施例に示された前板上端に延設される蓋受片に差込片を形成するために設けられた切り込みのために、形成される表示板の上端が切断部分となって見苦しくなり易いという欠点があった。
【０００６】
【特許文献１】特開２００１−３５４２３７号公報
【発明の概要】
【発明が解決しようとする課題】
【０００７】
そこで本発明は、商品の収納・搬送及び展示に供されるディスプレイ兼用カートンにおいて、煩雑な操作を要することなく、告知事項を十分に記載できるスペースを有し、且つ正面板の前面に美麗な表示板を形成することの出来るディスプレイ兼用カートンを提供することにある。
【課題を解決するための手段】
【０００８】
上記課題を解決するため、請求項１記載の発明は、シート状部材で形成される、矩形状底面板と該底面板各辺から垂直に立設された正面板、背面板、左右側面板からなるディスプレイ兼用カートンであって、少なくとも前記正面板の上辺延長上に順に表示板、係止板を連設し、前記正面板の下辺から所定距離離れた位置に前記下辺に平行な表示部下端横折線を設け、該表示部下端横折線に係止溝を刻設すると共に、前記表示部下端横折線の両端から前記正面板の上辺に向かって略平行な切目線を前記正面板の上端縁まで刻設して前記表示部下端横折線の上方に表示部重合板を形成することを特徴とするディスプレイ兼用カートンである。このように構成することにより、正面板の上辺延長上に連設される表示板は、正面板に設けられた表示部下端横折線と上辺との間の幅で大きく形成される表示部重合板と略同じ幅で形成できるので、告知事項を十分に記載できるスペースを有し、且つ表示板の形成には破断等の操作に寄らないので美麗な表示板を形成することができ、しかも表示板の折り曲げ操作と係止板の係止溝への係止操作により表示部を簡単に形成することができる。
【０００９】
請求項２の発明は、前記左右側面板のいずれか一方の側面板の上辺を破断予定線とし延長上に順に天面板、差込板を連設すると共に、前記背面板の上辺を破断予定線とし延長上に天面支持板を連設したことを特徴とする請求項１記載のディスプレイ兼用カートンである。このように構成することにより、ディスプレイ兼用カートンの組み立てによって収納される商品を封入すると共に、開封時に破断予定線により天面板と天面支持板を取去ることが出来、且つ表示部を正面板の前面に形成するので、簡便な操作で限られた展示スペースに対応したディスプレイ兼用カートンとすることができる。
【発明の効果】
【００１０】
本発明に係るディスプレイ兼用カートンによれば、商品の収納・搬送及び展示に供されるディスプレイ兼用カートンにおいて、煩雑な操作を要することなく、カートンの開封を行うことことができると共に、告知事項を十分に記載できるスペースを有し且つカートンの正面板の前面に美麗な表示板を形成することが出来るので、限られた展示スペースにおいて競合する商品群の中で自社商品をアピールし、売上の増加を図ることが出来る。
【図面の簡単な説明】
【００１１】
【図１】本発明に係るディスプレイ兼用カートンの第１実施形態の展開平面図。
【図２】（ａ）第１実施形態の組み立て完了状態を示す斜視図。（ｂ）第１実施形態の展示状態を示す斜視図。（ｃ）第１実施形態の展示状態の右側面図。
【図３】本発明に係るディスプレイ兼用カートンの第２実施形態の展開平面図。
【図４】（ａ）第２実施形態の組み立て完了状態を示す斜視図。（ｂ）第２実施形態の展示状態を示す斜視図。
【図５】（ａ）〜（ｄ）展示状態における表示部のバリエーションを示す斜視図。
【発明を実施するための形態】
【００１２】
本発明につき、図面等を用いて以下に詳述する。尚、図１は本発明に係るディスプレイ兼用カートンの第１実施形態の展開平面図。図２（ａ）は第１実施形態の組み立て完了状態を示す斜視図。図２（ｂ）は第１実施形態の展示状態を示す斜視図。図２（ｃ）は第１実施形態の展示状態の右側面図。図３は本発明に係るディスプレイ兼用カートンの第２実施形態の展開平面図。図４（ａ）は第２実施形態の組み立て完了状態を示す斜視図。図４（ｂ）は第２実施形態の展示状態を示す斜視図。図５（ａ）〜（ｄ）はそれぞれ展示状態における表示部のバリエーションを示す斜視図である。
【００１３】
本発明に係るディスプレイ兼用カートンは、菓子・食品や洗剤等の袋状個装製品およびガムやキャラメルに見られるブロック状や箱状個装製品の集積・搬送並びに販売用を兼ねるディスプレイ兼用カートンであって、通常個装製品はダース単位或いは１０個単位で集積・収納されるものである。その製造にあたっては、カートンサイズや内容商品の形状・重量等を考慮して、板紙、厚紙或いは段ボール等のシート状部材を選択的に用い、打ち抜き、貼り合せ、これを起立させて内容商品を収納して後に封入もしくは閉塞することで、ほぼ直方体状に完成するものである。
【００１４】
図１は、本発明に係るディスプレイ兼用カートンの第１実施形態の展開平面図で、図１においては左から順に縦折線Ｌ１、Ｌ２、Ｌ３、Ｌ４を介して順次連設される貼着板５、左側面板１、正面板２、右側面板３、背面板４からカートンの胴部が構成される。さらに前記左側面板１、正面板２、右側面板３、背面板４のそれぞれ下辺の下部延長上には、底面構成板１２、１３、１４、１５が、それぞれ横折線Ｌ１１、Ｌ１２、Ｌ１３、Ｌ１４を介して連設されている。尚、図１に示された第１実施形態において、前記底部構成板１２、１３、１４、１５は、一方の対向する底部構成板１２、１４それぞれの角部に斜め折線Ｌ１５、Ｌ１６を介して貼着部が形成され、それぞれの貼着部が隣合う底部構成板１３、１５に貼着され、カートンの起函により自動的に底面を形成する所謂オートマチックロッキングボトム形式としているが、これに限定されるものではない。
【００１５】
正面板２の下辺から所定距離離れた位置に、該下辺に平行な表示部下端横折線Ｌ７を設け、該表示部下端横折線Ｌ７の両端から前記正面板２の上辺に向かって略平行もしくはやや上方に向かって拡がる逆ハ字状をなし断続する切目線１６、１６’がそれぞれ上端縁まで刻設されて表示部重合板８が区設されると共に、前記正面板２の上辺すなわち前記表示部重合板８の上辺には横折線Ｌ５を介して略矩形状の表示板６が連設され、さらに該表示板６の上端辺略中央部には横折線Ｌ６を介して係止板７が突設されている。尚、前記表示部下端横折線Ｌ７の略中央部には前記係止板７が嵌挿される上向き略コ字状の係止溝１７が刻設され、前記係止板７の両側上端部には係止突起α、α’が突設されている。
【００１６】
第１実施形態の組み立てにあたっては、図１のように形成されたブランクの、底部構成板１２、１３、１４、１５が横折線Ｌ１１、Ｌ１２、Ｌ１３、Ｌ１４を用いて折り込まれ、斜め折線Ｌ１５、Ｌ１６を折り曲げると共に、縦折線Ｌ２とＬ４を用いて折り畳み、前記底部構成板１２と１３、１４と１５をそれぞれ貼着すると共に、背面板４と貼着板５とが貼着されて、扁平に折り畳まれたカートンを形成する。
【００１７】
次に、商品の集積収納を行う工程においては、縦折線Ｌ１、Ｌ２、Ｌ３、Ｌ４を用いて起函を行い、同時にカートン下辺のそれぞれ横折線Ｌ１１、Ｌ１２、Ｌ１３、Ｌ１４並びに斜め折線Ｌ１５、Ｌ１６が働いて底面が自動的に形成され、上方が開放したカートンが形成される。該カートンに商品βを集積・整列・収納し、横折線Ｌ５を用いて表示板６及び係止板７を収納された商品β上に折り曲げて、図２（ａ）に示す組み立て完了状態とした後、全体を収縮性フィルムによるシュリンク包装或いは防湿性フィルムによる上包をおこなうことで包装が完成する。
【００１８】
商品の展示にあたっては、前述の包装状態から、シュリンク包装或いは上包したフィルムを取り去り、正面板２に刻設した切目線１６、１６’をそれぞれカートンの外方向に切り破り、表示部下端横折線Ｌ７を用いて表示部重合板８を外向きに折り曲げ、さらに横折線Ｌ５を用いて表示板６を折り曲げて前記表示部重合板８に折り重ねると共に、横折線Ｌ６を用いて折り曲げた係止板７を前記表示部下端横折線Ｌ７の略中央部に刻設された係止溝１７に差し込んで係止することにより、正面板２の前面に前記表示部下端横折線Ｌ７から斜め下向きに傾斜した図２（ｂ）及び図２（ｃ）に示した展示用ディスプレイ状態を形成する。尚、表示部重合板８を形成する表示部下端横折線Ｌ７と正面板２の上辺の横折線Ｌ５との間の距離よりも、表示板６を形成する前記正面板２の上辺の横折線Ｌ５と表示板６の上端の横折線Ｌ６との間の距離を大きくすることによって、表示板６が表示部重合板８を押し下げ、図２（ｂ）及び図２（ｃ）に示すように、表示板６が正面板２から斜め下向きに傾斜するようにすることができる。
【００１９】
次に、本発明の第２実施形態について説明する。なお、本発明の第１実施形態と共通する部分には同一の符号を附し、共通する部分の説明を一部省略する。
【００２０】
図３は本発明に係るディスプレイ兼用カートンの第２実施形態の展開平面図で、図３においては左から順に縦折線Ｌ１、Ｌ２、Ｌ３、Ｌ４を介して順次連設される貼着板５、左側面板１、正面板２、右側面板３、背面板４からカートンの胴部が構成される。前記左側面板１の上部延長上には、天面板９、差込板１０が横折線Ｌ８、Ｌ９を介して連設され、前記背面板４の上部延長上には、天面支持板１１が横折線Ｌ１０を介して連接されている。なお、前記横折線Ｌ８と同じく前記横折線Ｌ１０は、いずれも断続する切目線を備えた折線で構成され、開封後の展示にあたって、前記天面板９および差込板１０と前記天面支持板１１を切り取り可能としている。
【００２１】
第２実施形態の組み立てにあたっては、図３のように形成されたブランクの、底部構成板１２、１３、１４、１５が横折線Ｌ１１、Ｌ１２、Ｌ１３、Ｌ１４を用いて折り込まれ、斜め折線Ｌ１５、Ｌ１６を折り曲げると共に、縦折線Ｌ２とＬ４を用いて折り畳み、前記底部構成板１２と１３、１４と１５をそれぞれ貼着すると共に、背面板４と貼着板５とが貼着されて、扁平に折り畳まれたカートンを形成する。
【００２２】
次に、商品の集積収納を行う工程においては、縦折線Ｌ１、Ｌ２、Ｌ３、Ｌ４を用いて起函を行い、同時にカートン下辺のそれぞれ横折線Ｌ１１、Ｌ１２、Ｌ１３、Ｌ１４並びに斜め折線Ｌ１５、Ｌ１６が働いて底面が自動的に形成され、上方が開放したカートンが形成される。該カートンに商品βを集積・整列・収納し、次いで横折線Ｌ５およびＬ１０を用いてそれぞれ表示板６と係止板７および天面支持板１１を収納された商品β上に折り曲げた後、横折線Ｌ８、Ｌ９を用いて天面板９を折り曲げ、差込板１０を差し込み閉蓋することにより、包装が完成する。なお、天面ならびに底面の構成は、上記構成に限定されるものでなく、他の形式を用いても良い。
【００２３】
商品の展示にあたっては、前述の包装状態から、天面を開放すると共に横折線Ｌ８およびＬ１０を破断して天面板９と差込板１０および天面支持板１１を取り去り、次いで、正面板２に刻設した切目線１６、１６’をそれぞれカートンの外方向に切り破り、表示部下端横折線Ｌ７を用いて表示部重合板８を外向きに折り曲げ、さらに横折線Ｌ５を用いて表示板６を折り曲げて前記表示部重合板８に折り重ねると共に、横折線Ｌ６を用いて折り曲げた係止板７を前記表示部下端横折線Ｌ７の略中央部に刻設された係止溝１７に差し込んで係止して、図４（ｂ）に示すように、表示板６が正面板２から斜め下向きに傾斜して表示部を形成し、店頭展示用ディスプレイ状態とする。
【００２４】
本発明に係るディスプレイ兼用カートンにおいて、表示板６はカートンの奥行方向の長さすなわち正面板２から背面板４までの長さから差込板７の長さを減じた長さの構成とすることができ大きな表示スペースを形成できるものであるが、第１実施形態および第２実施形態では、正面板２に設けた表示重合板８の長さと略同一もしくはやや大きい長さで構成したものを示した。しかしながら、これに限定されるものではなく、表示部重合板８の奥行方向の長さより表示板６の奥行方向の長さを長くする構成によって、それぞれの展開平面図は省略するが、図５（ａ）に示すように表示板を曲面として側断面略半円状の表示部や、図５（ｂ）、（ｃ）に示すように補助横折線を一部に設けて側断面略多角形状の表示部とすることができる。さらに、図５（ｄ）に示すように、前記補助横折線の一部に切目線を刻設して修飾した突出部を有する表示部とすることができる。
【符号の説明】
【００２５】
Ｐ、Ｐ’                カートン
１                      左側面板
２                      正面板
３                      右側面板
４                      背面板
５                      貼着板
６、６ａ、６ｂ、６ｃ    表示板
７                      係止板
８                      表示部重合板
９                      天面板
１０                      差込板
１１                      天面支持板
１２〜１５                底面構成板
１６、１６’              切目線
１７                      係止溝
Ｌ７                      表示部下端横折線
α、α’                係止突起
β                      商品
【図１】
2011230778.tif 000003
【図２】
2011230778.tif 000004
【図３】
2011230778.tif 000005
【図４】
2011230778.tif 000006
【図５】
2011230778.tif 000007